(57)【特許請求の範囲】
【請求項１】
建具の開口枠に対して開閉可能に配設された障子の戸先部分に取り付けられる台座と、
前記障子が閉じている場合に突出端部が前記開口枠に当接可能となる状態で前記台座に移動可能に配設した作動部材と、
回転中心となる支点部を挟んで互いに異なる方向に延在した力点部及び作用点部を有し、前記力点部が前記台座の外部に位置するとともに、前記作用点部が前記作動部材の基端部に係合した状態で前記支点部を介して前記台座に回転可能に配設した引手部材と
を備え、前記引手部材を所定の常態位置に配置した場合には前記台座に対して前記作動部材を退行した状態に維持し、一方、前記障子が閉じた状態から前記引手部材を回転させて所定の動作位置に移動させた場合には前記作用点部を介して前記作動部材を前記台座に対して突出方向に移動させ、前記突出端部を介して前記開口枠を押圧するようにした開操作用補助装置において、
前記台座には、前記引手部材の回転中心を含み、かつ前記障子との取付面に直交する仮想の直交面を挟んで両側に位置する部位にそれぞれ前記引手部材の作用点部を覆うようにカバー部を設けるとともに、前記仮想の直交面の一方側に位置するカバー部と他方側に位置するカバー部との間に架け渡すように補強部材が設けてあり、
前記引手部材の両端部にそれぞれ支持軸部材を設け、前記台座に前記支持軸部材の外周面に当接する軸受台部を形成するとともに、前記補強部材には前記軸受台部との間に前記支持軸部材を挟持する軸支持片部を設けたことを特徴とする開操作用補助装置。
【請求項２】
建具の開口枠に対して開閉可能に配設された障子の戸先部分に取り付けられる台座と、
前記障子が閉じている場合に突出端部が前記開口枠に当接可能となる状態で前記台座に移動可能に配設した作動部材と、
回転中心となる支点部を挟んで互いに異なる方向に延在した力点部及び作用点部を有し、前記力点部が前記台座の外部に位置するとともに、前記作用点部が前記作動部材の基端部に係合した状態で前記支点部を介して前記台座に回転可能に配設した引手部材と
を備え、前記引手部材を所定の常態位置に配置した場合には前記台座に対して前記作動部材を退行した状態に維持し、一方、前記障子が閉じた状態から前記引手部材を回転させて所定の動作位置に移動させた場合には前記作用点部を介して前記作動部材を前記台座に対して突出方向に移動させ、前記突出端部を介して前記開口枠を押圧するようにした開操作用補助装置において、
前記台座には、前記引手部材の回転中心を含み、かつ前記障子との取付面に直交する仮想の直交面を挟んで両側に位置する部位にそれぞれ前記引手部材の作用点部を覆うようにカバー部を設けるとともに、前記仮想の直交面の一方側に位置するカバー部と他方側に位置するカバー部との間に架け渡すように補強部材が設けてあり、
前記補強部材は、一方のカバー部と他方のカバー部との間に架け渡すように配置される平板状の基板部と、前記基板部からそれぞれ同一方向に向けてほぼ直角に屈曲するように延在し、前記台座のカバー部に設けた凹溝に収容されるカバー補強部とを有し、前記基板部の外表面が前記障子との取付面となるものであり、
前記台座において前記取付面に近接した部分の内表面には内方に向けて突出するように突起を形成し、かつ前記補強部材の基板部において前記突起に対応する部分には、前記取付面となる外表面に対して凹状となる係合面を形成したことを特徴とする開操作用補助装置。
【請求項３】
建具の開口枠に対して開閉可能に配設された障子の戸先部分に取り付けられる台座と、
前記障子が閉じている場合に突出端部が前記開口枠に当接可能となる状態で前記台座に移動可能に配設した作動部材と、
回転中心となる支点部を挟んで互いに異なる方向に延在した力点部及び作用点部を有し、前記力点部が前記台座の外部に位置するとともに、前記作用点部が前記作動部材の基端部に係合した状態で前記支点部を介して前記台座に回転可能に配設した引手部材と
を備え、前記引手部材を所定の常態位置に配置した場合には前記台座に対して前記作動部材を退行した状態に維持し、一方、前記障子が閉じた状態から前記引手部材を回転させて所定の動作位置に移動させた場合には前記作用点部を介して前記作動部材を前記台座に対して突出方向に移動させ、前記突出端部を介して前記開口枠を押圧するようにした開操作用補助装置において、
前記台座には、前記引手部材の回転中心を含み、かつ前記障子との取付面に直交する仮想の直交面を挟んで両側に位置する部位にそれぞれ前記引手部材の作用点部を覆うようにカバー部を設けるとともに、前記仮想の直交面の一方側に位置するカバー部と他方側に位置するカバー部との間に架け渡すように補強部材が設けてあり、
前記補強部材は、一方のカバー部と他方のカバー部との間に架け渡すように配置される平板状の基板部と、前記基板部からそれぞれ同一方向に向けてほぼ直角に屈曲するように延在し、前記台座のカバー部に設けた凹溝に収容されるカバー補強部とを有し、前記基板部の外表面が前記障子との取付面となるものであり、
前記作動部材が前記台座に対して退行するように前記引手部材を回転させた場合に前記作用点部が近接する側のカバー部には、前記作用点部に対向する部位まで前記カバー補強部を配設したことを特徴とする開操作用補助装置。
【請求項４】
請求項１〜請求項３のいずれか一つに記載の開操作用補助装置を障子の戸先に位置する框の見付け面に取り付けたことを特徴とする建具。
【発明の詳細な説明】
【技術分野】
【０００１】
本発明は、開口枠に対して開閉可能に配設された障子の戸先部分に取り付けられ、開口枠に対して閉じた状態の障子を開く際に操作力を軽減するように動作する開操作用補助装置及び建具に関するものである。
【背景技術】
【０００２】
開口枠に対して障子が開閉可能に配設された建具には、閉じた状態の障子を開き方向に操作する際の操作力を軽減するように動作する開操作用補助装置を備えたものがある。この種の開操作用補助装置は、てこの原理を利用して障子を開き始める際に必要となる操作力を軽減し、障子の開き操作を容易化しようとするものである。例えば、左右方向にスライドする障子を備えた建具の場合には、開操作用補助装置として、戸先に位置する縦框の見付け面に引手部材及び作動部材が設けられている。
【０００３】
引手部材は、力点部と作用点部との間に支点部を有し、支点部を介して台座に回転可能に支持されたものである。この引手部材は、回転中心が鉛直方向に沿った状態で台座を介して縦框に取り付けられている。引手部材の力点部は、台座の外部に配設され、縦框の見付け面に対してほぼ直角となる常態位置と、突出端部が戸尻側に向いた動作位置との間を移動することが可能である。引手部材の作用点部は、台座の内部に配設されており、力点部の移動に伴って台座の内部を障子のスライド方向に沿って移動可能である。
【０００４】
作動部材は、台座において戸先に位置する縦枠の見込み面に対向する位置に配置され、障子のスライド方向に沿って移動可能に配設されている。この作動部材は、台座に対して突出した場合に突出端部が縦枠の見込み面に当接することが可能である。作動部材において台座の内部に配置される基端部には、引手部材の作用点部が係合されている。
【０００５】
上記のような開操作用補助装置を備える建具によれば、引手部材の力点部に手を掛けて障子を開く方向に力を加えると、作動部材が縦枠の見込み面に当接された状態で台座から突出することになる。これにより、縦枠からの反力が障子を開く方向に作用することになり、障子を開き始める際に必要となる操作力を軽減することが可能となる。尚、障子が開いた後においては、引手部材が常態位置に復帰され、作動部材が退行した状態となるため、作動部材が障子を閉じる際の邪魔になることはない（例えば、特許文献１参照）。
【先行技術文献】
【特許文献】
【０００６】
【特許文献１】特開２００６−９７２４８号公報
【発明の概要】
【発明が解決しようとする課題】
【０００７】
上記のような開操作用補助装置では、適用する建具の意匠性を考慮した場合、特許文献１の図１２に示されているように、引手部材の作用点部が台座の外部から見えないように、周囲をカバー部によって覆うように構成することが好ましい。また、台座を樹脂によって成形した場合には、金属によって成形する場合に比べて製造コストを大幅に低減できるばかりか、外観品質を向上させることも可能となる。
【０００８】
ここで、上述した開操作用補助装置においては、開いた状態の障子を閉じる際にも引手部材の力点部に操作力が加えられる場合がある。すなわち、常態位置に配置された引手部材は、縦框の見付け面からほぼ直角に突出した構成となるため、力点部が手掛かりとなり易く、力が加えられた状態で障子が閉じる方向にスライドされる場合がある。引手部材の力点部に障子を閉じる方向の操作力が加えられた場合には、台座の内部に配置された作用点部が戸尻方向に回転しようとする。このため、意匠性を向上させるべく作用点部の周囲にカバー部が配置されていた場合には、作用点部を介してカバー部に操作力が加えられることになる。従って、台座が樹脂によって成形されている場合には、障子を閉じる際に加えられる操作力によってカバー部に損傷を来すおそれが生じる。尚、上述の問題は開口枠に対して障子が面外方向に開くように構成した建具においても同様に生じ得るものである。
【０００９】
本発明は、上記実情に鑑みて、適用する建具の意匠性を向上させ、かつ製造コストの低減を図ることのできる開操作用補助装置及び建具を提供することを目的とする。
【課題を解決するための手段】
【００１０】
上記目的を達成するため、本発明に係る開操作用補助装置は、建具の開口枠に対して開閉可能に配設された障子の戸先部分に取り付けられる台座と、前記障子が閉じている場合に突出端部が前記開口枠に当接可能となる状態で前記台座に移動可能に配設した作動部材と、回転中心となる支点部を挟んで互いに異なる方向に延在した力点部及び作用点部を有し、前記力点部が前記台座の外部に位置するとともに、前記作用点部が前記作動部材の基端部に係合した状態で前記支点部を介して前記台座に回転可能に配設した引手部材とを備え、前記引手部材を所定の常態位置に配置した場合には前記台座に対して前記作動部材を退行した状態に維持し、一方、前記障子が閉じた状態から前記引手部材を回転させて所定の動作位置に移動させた場合には前記作用点部を介して前記作動部材を前記台座に対して突出方向に移動させ、前記突出端部を介して前記開口枠を押圧するようにした開操作用補助装置において、前記台座には、前記引手部材の回転中心を含み、かつ前記障子との取付面に直交する仮想の直交面を挟んで両側に位置する部位にそれぞれ前記引手部材の作用点部を覆うようにカバー部を設けるとともに、前記仮想の直交面の一方側に位置するカバー部と他方側に位置するカバー部との間に架け渡すように補強部材が設けてあり、前記引手部材の両端部にそれぞれ支持軸部材を設け、前記台座に前記支持軸部材の外周面に当接する軸受台部を形成するとともに、前記補強部材には前記軸受台部との間に前記支持軸部材を挟持する軸支持片部を設けたことを特徴とする。
【００１１】
この発明によれば、カバー部によって引手部材の作用点部が覆われているため、適用する建具の意匠性を高めることができる。しかも、台座のカバー部には、補強部材を設けるようにしている。このため、障子を閉じる際に引手部材の力点部に操作力が加えられた場合にも、カバー部に損傷を来すおそれがなく、台座を樹脂によって成形することが可能となる。補強部材としては金属製のものを適用することが好ましい。台座を補強する補強部材は、外部に露出して配置される部品ではないため、外観品質に考慮する必要がなく表面処理を施す必要もない。従って、補強部材として金属製のものを適用した場合にも、台座を金属によって成形する場合に比べて製造コストを抑えることが可能となる。
【００１３】
この発明によれば、台座の軸受台部と補強部材の軸支持部とによって引手部材の支持軸部材が回転可能に挟持されるため、台座を樹脂によって成形した場合にも支持軸部材を確実に支持することができる。
【００１４】
また本発明に係る開操作用補助装置は、建具の開口枠に対して開閉可能に配設された障子の戸先部分に取り付けられる台座と、前記障子が閉じている場合に突出端部が前記開口枠に当接可能となる状態で前記台座に移動可能に配設した作動部材と、回転中心となる支点部を挟んで互いに異なる方向に延在した力点部及び作用点部を有し、前記力点部が前記台座の外部に位置するとともに、前記作用点部が前記作動部材の基端部に係合した状態で前記支点部を介して前記台座に回転可能に配設した引手部材とを備え、前記引手部材を所定の常態位置に配置した場合には前記台座に対して前記作動部材を退行した状態に維持し、一方、前記障子が閉じた状態から前記引手部材を回転させて所定の動作位置に移動させた場合には前記作用点部を介して前記作動部材を前記台座に対して突出方向に移動させ、前記突出端部を介して前記開口枠を押圧するようにした開操作用補助装置において、前記台座には、前記引手部材の回転中心を含み、かつ前記障子との取付面に直交する仮想の直交面を挟んで両側に位置する部位にそれぞれ前記引手部材の作用点部を覆うようにカバー部を設けるとともに、前記仮想の直交面の一方側に位置するカバー部と他方側に位置するカバー部との間に架け渡すように補強部材が設けてあり、前記補強部材は、一方のカバー部と他方のカバー部との間に架け渡すように配置される平板状の基板部と、前記基板部からそれぞれ同一方向に向けてほぼ直角に屈曲するように延在し、前記台座のカバー部に設けた凹溝に収容されるカバー補強部とを有し、前記基板部の外表面が前記障子との取付面となるものであり、前記台座において前記取付面に近接した部分の内表面には内方に向けて突出するように突起を形成し、かつ前記補強部材の基板部において前記突起に対応する部分には、前記取付面となる外表面に対して凹状となる係合面を形成したことを特徴とする。
【００１５】
この発明によれば、台座の突起を補強部材の係合面に係合させることにより、建具に取り付ける以前においても台座と補強部材とを一体に取り扱うことができる。しかも、突起が台座の取付面から突出しないため、建具への取り付けが容易、かつ確実なものとなる。
【００１６】
また本発明に係る開操作用補助装置は、建具の開口枠に対して開閉可能に配設された障子の戸先部分に取り付けられる台座と、前記障子が閉じている場合に突出端部が前記開口枠に当接可能となる状態で前記台座に移動可能に配設した作動部材と、回転中心となる支点部を挟んで互いに異なる方向に延在した力点部及び作用点部を有し、前記力点部が前記台座の外部に位置するとともに、前記作用点部が前記作動部材の基端部に係合した状態で前記支点部を介して前記台座に回転可能に配設した引手部材とを備え、前記引手部材を所定の常態位置に配置した場合には前記台座に対して前記作動部材を退行した状態に維持し、一方、前記障子が閉じた状態から前記引手部材を回転させて所定の動作位置に移動させた場合には前記作用点部を介して前記作動部材を前記台座に対して突出方向に移動させ、前記突出端部を介して前記開口枠を押圧するようにした開操作用補助装置において、前記台座には、前記引手部材の回転中心を含み、かつ前記障子との取付面に直交する仮想の直交面を挟んで両側に位置する部位にそれぞれ前記引手部材の作用点部を覆うようにカバー部を設けるとともに、前記仮想の直交面の一方側に位置するカバー部と他方側に位置するカバー部との間に架け渡すように補強部材が設けてあり、前記補強部材は、一方のカバー部と他方のカバー部との間に架け渡すように配置される平板状の基板部と、前記基板部からそれぞれ同一方向に向けてほぼ直角に屈曲するように延在し、前記台座のカバー部に設けた凹溝に収容されるカバー補強部とを有し、前記基板部の外表面が前記障子との取付面となるものであり、前記作動部材が前記台座に対して退行するように前記引手部材を回転させた場合に前記作用点部が近接する側のカバー部には、前記作用点部に対向する部位まで前記カバー補強部を配設したことを特徴とする。
【００１７】
この発明によれば、引手部材の力点部を介して障子を閉じる方向に操作力が加えられた場合、カバー部において補強部材のカバー補強部が配設された部分に引手部材の作用点部が当接することになるため、カバー部の損傷をより確実に防止することができる。
【００１８】
また本発明に係る建具は、上述したいずれか一つに記載の開操作用補助装置を障子の戸先に位置する框の見付け面に取り付けたことを特徴とする。
【００１９】
この発明によれば、カバー部によって引手部材の作用点部を覆っているため、建具の意匠性を高めることができる。しかも、台座のカバー部には、補強部材を設けるようにしている。このため、障子を閉じる際に引手部材の力点部に操作力が加えられた場合にも、カバー部に損傷を来すおそれがなく、台座を樹脂によって成形することが可能となり、製造コストを抑えることが可能となる。
【発明の効果】
【００２０】
本発明によれば、カバー部によって引手部材の作用点部が覆われているため、適用する建具の意匠性を高めることができる。しかも、台座のカバー部には、補強部材を設けるようにしている。このため、障子を閉じる際に引手部材の力点部に操作力が加えられた場合にも、カバー部に損傷を来すおそれがなく、台座を樹脂によって成形することが可能となり、製造コストの低減を図ることが可能となる。
【図面の簡単な説明】
【００２１】
【図１】図１は、本発明の実施の形態である開操作用補助装置を適用した建具を室内側から見た図である。
【図２】図２は、図１に示した開操作用補助装置を示したもので、（ａ）は引手部材が常態位置に配置された場合の外観斜視図、（ｂ）は引手部材が動作位置に配置された場合の外観斜視図である。
【図３】図３は、図１に示した開操作用補助装置を示したもので、（ａ）は引手部材が常態位置に配置された場合の底面一部破断図、（ｂ）は引手部材が動作位置に配置された場合の底面一部破断図である。
【図４】図４は、図１に示した開操作用補助装置の構成要素を示す分解斜視図である。
【図５】図５は、図１に示した開操作用補助装置の台座及び補強部材を示す分解斜視図である。
【図６】図６は、図１におけるＡ−Ａ線拡大断面図である。
【図７】図７は、図１におけるＢ−Ｂ線拡大断面図である。
【図８】図８は、図３の（ａ）におけるＣ−Ｃ線拡大断面図である。
【図９】図９は、図１に示した建具の要部を拡大して示したもので、（ａ）は開操作用補助装置が常態位置に配置された場合の横断面図、（ｂ）は、開操作用補助装置が動作位置に配置された場合の横断面図である。
【発明を実施するための形態】
【００２２】
以下、添付図面を参照しながら本発明に係る開操作用補助装置及び建具の好適な実施の形態について詳細に説明する。
【００２３】
図１は、本発明の実施の形態である開操作用補助装置を適用した建具を示したものである。ここで例示する建具は、開口枠１０に対して２枚の障子２０を左右方向に沿ってスライド可能に支持させた引き違い窓である。
【００２４】
開口枠１０は、上枠１１、下枠１２及び左右の縦枠１３を四周枠組みすることによって矩形状に構成してある。２枚の障子２０は、いずれも矩形状を成すガラス２１の四周に上框２２、下框２３及び左右の縦框２４，２５を装着することによって構成したものである。これらの障子２０は、互いに戸尻側となる縦框２５を重ね合わせた状態で左右に並設した場合に開口枠１０を閉じることのできる大きさに形成してある。尚、以下においてはそれぞれの障子２０において、戸尻側の縦框を「戸尻框２５」、戸先側の縦框を「戸先框２４」と称して両者を区別することとする。
【００２５】
それぞれの障子２０には、戸先框２４の室内側に臨む見付け面に開操作用補助装置３０が設けてある。開操作用補助装置３０は、閉じた状態の障子２０を開き方向にスライドする際に操作力を軽減するように動作するもので、引手部材３１、台座３２及び作動部材３３を備えている。
【００２６】
引手部材３１は、障子２０を開き方向にスライドする際に操作力を加える部分であり、図２〜図６に示すように、支点部３１ａと、支点部３１ａから互いに反対方向に向けて延在した力点部３１ｂ及び作用点部３１ｃとを一体に成形して構成してある。支点部３１ａは、戸先框２４の長手方向に沿って延在し、その両端部にそれぞれ支持軸部材３４を備えている。支持軸部材３４は、細径の円柱状部材であり、互いに軸心を合致させた状態で、支点部３１ａの両端部から突出するように配設してある。力点部３１ｂは、支持軸部材３４の軸心を中心として径方向に延在する部分であり、支持軸部材３４からの延在長さが作用点部３１ｃよりも大きくなるように構成してある。作用点部３１ｃは、支点部３１ａのほぼ中心となる部分に設けてある。作用点部３１ｃの両側には、ストッパ部３１ｄが設けてある。
【００２７】
台座３２は、引手部材３１よりも大きな縦横寸法を有したものである。この台座３２には、中央部分に収容孔３２ａが設けてあるとともに、収容孔３２ａの両端に位置する部分に軸受台部３２ｂが設けてある。収容孔３２ａは、台座３２の上面から底面にわたって貫通したもので、底面側から引手部材３１の力点部３１ｂを通過させることのできる大きさに形成してある。軸受台部３２ｂは、底面に向けて開口する円弧状の凹面であり、支持軸部材３４を摺動可能に収容することのできる大きさに形成してある。図３及び図６からも明らかなように、２つの軸受台部３２ｂは、円弧状の凹面が互いに同一の軸心上に位置し、かつそれぞれ台座３２の一方側の長辺に近接するようにオフセットして設けてある。尚、以下においては便宜上、台座３２の２つの長辺のうち、軸受台部３２ｂが近接する方を後方側、もう一方を前方側と称することとする。
【００２８】
上述した引手部材３１は、力点部３１ｂが台座３２の上面から突出する状態で収容孔３２ａに配置し、それぞれの支持軸部材３４を軸受台部３２ｂに配置することにより、台座３２に対して支持軸部材３４の軸心を中心として回転可能に支持させてある。図２及び図６からも明らかなように、台座３２において引手部材３１の作用点部３１ｃ及びストッパ部３１ｄに対向する部位には、その周囲全周にカバー部３２ｃが設けてある。カバー部３２ｃは、底面３２ｃ１が全周にわたって同一の平面上に位置するように設けてある。カバー部３２ｃの底面３２ｃ１は、後述の補強部材４０における基板部４１の外表面４１ａとともに台座３２の取付面を構成するものである。カバー部３２ｃには、支持軸部材３４の軸心を含み、かつ台座３２の底面３２ｃ１に直交する仮想直交面ＣＰに対して前方側に位置する部分（以下、「前方カバー部３２ｃ」という）に窓穴３２ｄが設けてある。窓穴３２ｄは、前方カバー部３２ｃにおいて引手部材３１の作用点部３１ｃに対応する部位に開口した略矩形状の切欠である。
【００２９】
台座３２と引手部材３１との間には、バネ部材３５が設けてある。バネ部材３５は、台座３２と共に引手部材３１の回転姿勢を規定するものである。具体的には、操作力を加えていない場合、引手部材３１はバネ部材３５の弾性力により図６において反時計回りに付勢されており、仮想直交面ＣＰに対して後方側に位置するカバー部（以下、「後方カバー部３２ｃ」という）に当接し、力点部３１ｂが台座３２の底面３２ｃ１に対してほぼ直角となるように配置される（常態位置）。この状態から力点部３１ｂに操作力を付与し、バネ部材３５の弾性力に抗して引手部材３１を図６において時計回りに回転させると、作用点部３１ｃが前方カバー部３２ｃに近接した位置に配置される（動作位置）。さらに、動作位置に配置された状態から引手部材３１に加えていた操作力を除去した場合には、バネ部材３５の弾性復元力によって図６において反時計回りに回転し、引手部材３１が常態位置に復帰する。
【００３０】
作動部材３３は、直方体状を成す部材であり、台座３２の窓穴３２ｄを介して前方カバー部３２ｃから突出した状態と退行した状態とにスライドすることが可能である。図には明示していないが、作動部材３３において台座３２のカバー部３２ｃに収容された部分には、引手部材３１の作用点部３１ｃが傾動可能に係合してある。これにより、支持軸部材３４を中心として引手部材３１を回転させた場合には、作動部材３３が台座３２に対してスライドすることになる。すなわち、引手部材３１を常態位置に配置した場合には、作用点部３１ｃが後方カバー部３２ｃに近接するため、台座３２に対して作動部材３３が最も退行した位置に配置された状態となる。一方、引手部材３１を動作位置に配置した場合には、作用点部３１ｃが前方カバー部３２ｃに近接する方向に移動するため、作用点部３１ｃに係合した作動部材３３が台座３２から突出した位置に配置されることになる。
【００３１】
また、上述の開操作用補助装置３０には、台座３２に補強部材４０が設けてある。補強部材４０は、台座３２の収容孔３２ａを覆う大きさを有した基板部４１と、基板部４１の両側からそれぞれほぼ直角に屈曲するように延在した一対のカバー補強部４２とを有したものである。本実施の形態では、台座３２が樹脂によって成形してあるのに対して、補強部材４０が金属によって成形してある。補強部材４０の基板部４１及びカバー補強部４２は、一体に構成してある。
【００３２】
補強部材４０には、基板部４１において台座３２の軸受台部３２ｂに対応する部位にそれぞれ軸支持片部４３が設けてある。軸支持片部４３は、基板部４１をカバー補強部４２と同じ方向に切り起こすことによって形成したもので、個々の先端部が台座３２の軸受台部３２ｂに対向するように構成してある。図６からも明らかなように、軸支持片部４３の先端部には、支持軸部材３４の周面に摺接することのできる半円弧状の凹部が形成してある。これらの軸支持片部４３は、基板部４１の外表面（取付面）４１ａを台座３２の底面３２ｃ１と同一の平面上に位置させた場合に個々の先端部と台座３２の軸受台部３２ｂとの間に支持軸部材３４を挟持できるようにそれぞれの寸法が設定してある。
【００３３】
この補強部材４０は、カバー補強部４２をそれぞれ前方カバー部３２ｃ及び後方カバー部３２ｃに設けた凹溝３２ｆに挿入することにより、これら前方カバー部３２ｃ及び後方カバー部３２ｃの間に架け渡すように配置され、カバー部３２ｃに設けた突起３２ｅを基板部４１に係合させることによって台座３２に取り付けてある。突起３２ｅは、台座３２のカバー部３２ｃにおいて長手方向の両端部に位置する部分から内方に向けて突出したもので、図８に示すように、台座３２の底面３２ｃ１からは突出しないように構成してある。一方、突起３２ｅが係合される補強部材４０の基板部４１には、突起３２ｅに対応した寸法の凹状となる係合面４１ｂが設けてある。従って、補強部材４０における基板部４１の外表面４１ａは、カバー部３２ｃの底面３２ｃ１と同一の平面上に位置し、台座３２の取付面を構成している。
【００３４】
台座３２に取り付けられた補強部材４０は、図６に示すように、後方カバー部３２ｃの凹溝３２ｆに挿入されるカバー補強部４２が引手部材３１の作用点部３１ｃに対向する高さ位置まで達している。軸支持片部４３は、軸受台部３２ｂとの間に支持軸部材３４を回転可能に挟持した状態にある。
【００３５】
上記のように構成した開操作用補助装置３０は、作動部材３３が戸先に位置する縦枠１３に対向する姿勢で台座３２及び補強部材４０を介して戸先框２４にネジ部材（図示せず）を螺合することにより、戸先框２４の見付け面において高さ方向のほぼ中央となる部位に取り付けられる。戸先に位置する縦枠１３との間には、引手部材３１が常態位置にある場合、図１中の左方及び図９の（ａ）に示すように、障子２０を閉じた場合にも作動部材３３が縦枠１３から離隔し、一方、引手部材３１が動作位置に移動する途中の段階で作動部材３３の突出端部３３ａが縦枠１３に当接することのできる寸法が確保してある。尚、図２中の符号３６は、台座３２に螺合したネジ部材（図示せず）の頭部を覆い隠すためのカバー部材である。
【００３６】
いま、障子２０が閉じた状態において引手部材３１の力点部３１ｂを図１中の反時計回りに回転させると、引手部材３１が動作位置に移動する途中の段階で作動部材３３の突出端部３３ａが縦枠１３に当接することになり、その後、さらに力点部３１ｂに同方向の操作力を付与すると、突出端部３３ａが縦枠１３に当接した状態で作動部材３３が突出し、縦枠１３からの反力が障子２０を開く方向に作用する。従って、上述の開操作用補助装置３０によれば、てこの原理により、障子２０を開き始める際に必要となる操作力を軽減することが可能となる。
【００３７】
障子２０が開いた後においては、バネ部材３５の弾性復元力によって引手部材３１が常態位置に復帰され、作動部材３３が退行した状態となる。従って、この状態から障子２０を閉じる方向に操作力を付与すれば、作動部材３３が邪魔になることなく、障子２０を閉じた状態までスライドさせることが可能である。障子２０を閉じる際には、引手部材３１の力点部３１ｂに操作力を加えれば、引手部材３１が手掛かりとなるため、その操作を容易に行うことができる。
【００３８】
ここで、引手部材３１の力点部３１ｂに障子２０を閉じる方向の操作力が加えた場合には、台座３２の内部に配置された作用点部３１ｃを介して後方カバー部３２ｃに操作力が加えられることになる。上述したように後方カバー部３２ｃを含む台座３２は、樹脂によって成形したものである。しかしながら、後方カバー部３２ｃには、前方カバー部３２ｃとの間にわたるように金属製の補強部材４０が設けてある。特に、後方カバー部３２ｃには、引手部材３１の作用点部３１ｃに対向する高さ位置まで達するようにカバー補強部４２が設けてある。従って、引手部材３１の力点部３１ｂに障子２０を閉じる方向の操作力が加えた場合にも、台座３２の後方カバー部３２ｃに損傷を来すおそれがない。
【００３９】
しかも、台座３２を樹脂によって成形するようにしているため、金属によって成形する場合に比べて外観に暖かみを持たせることができる。また、引手部材３１の操作状況に関わらず、常に作用点部３１ｃが台座３２のカバー部３２ｃによって覆われた状態となる。これらの結果、適用する建具の意匠性を向上させることができる。さらに、台座３２を補強する補強部材４０については、外部に露出して配置される部品ではないため、外観品質に考慮する必要がなく表面処理を施す必要もない。このため、台座３２を金属によって成形する場合に比べて開操作用補助装置３０を安価に製造することが可能である。
【００４０】
尚、上述した実施の形態では、開口枠１０に対して２枚の障子２０を左右方向に沿ってスライド可能に支持させた引き違い窓を例示しているが、開口枠に対して１枚の障子が左右方向にスライドする片引き窓や、障子が上下方向に沿ってスライドする上げ下げ窓等々、開口枠に対して障子がスライド可能に配設された建具でも良いし、開口枠に対して障子が面外方向に開くように開閉する建具にも適用することが可能である。
【符号の説明】
【００４１】
１０  開口枠、２０  障子、２４  戸先框、３０  開操作用補助装置、３１  引手部材、３１ａ  支点部、３１ｂ  力点部、３１ｃ  作用点部、３２  台座、３２ｂ  軸受台部、３２ｃ  カバー部、３２ｃ１  取付面、３２ｅ  突起、３２ｆ  凹溝、３３  作動部材、３３ａ  突出端部、３４  支持軸部材、４０  補強部材、４１  基板部、４１ａ  外表面、４１ｂ  係合面、４２  カバー補強部、４３  軸支持片部、ＣＰ  仮想直交面
【図１】
0006433798.tif 000002
【図２】
0006433798.tif 000003
【図３】
0006433798.tif 000004
【図４】
0006433798.tif 000005
【図５】
0006433798.tif 000006
【図６】
0006433798.tif 000007
【図７】
0006433798.tif 000008
【図８】
0006433798.tif 000009
【図９】
0006433798.tif 000010